(57)【要約】      （修正有）【課題】体幹部に装着が容易であり、体幹部のウエストサイズの肥満に応じて自動的に体幹筋に刺激を与えてトレーニングを行い、適正なウエストサイズに戻し又は維持することを可能にした体幹トレーニングベルトを提供する。【解決手段】体幹部の腹部位置に当接させるトレーニング本体１００を有し、トレーニング本体１００の左右両側部に装着ベルト２０１、２０２を連結し、トレーニング本体１００には装着ベルト２０１、２０２による体幹部への所定の締め付け状態を感知するウエスト締め付け感知部３００を有し、電源４００の入り切りと発信端部５００の選択をする電源モードスイッチ６００と、ウエスト締め付け感知部３００からの感知信号を入力した際、電源モードスイッチ６００で選択した発信端部５００に発信指令をする制御回路７００と、発信端部５００には音波発信部５０１、光波発信部５０２、振動波発振部５０３とを備えた。【選択図】図３
0003218263.tif 000002
【実用新案登録請求の範囲】
【請求項１】
体幹部の腹部位置に当接させるトレーニング本体１００を有し、前記トレーニング本体の左右両側部に装着ベルト２００を連結し、前記トレーニング本体１００には前記装着ベルト２００による体幹部への所定の締め付け状態を感知するウエスト締め付け感知部３００を有し、電源４００の入り切りと発信端部５００の選択をする電源モードスイッチ６００と、前記ウエスト締め付け感知部３００からの感知信号を入力した際前記電源モードスイッチ６００で選択した発信端部５００に発信指令をする制御回路７００と、前記発信端部５００には音波発信部５０１、光波発信部５０２、振動波発振部５０３とを備えたことを特徴とする体幹トレーニングベルト。
【考案の詳細な説明】
【技術分野】
【０００１】  本考案は、ダンス教室、読書、における体幹姿勢矯正や意識のリハビリ治療、一般健康に美容等に適用する体幹トレーニングベルトに関するものである。
【背景技術】
【０００２】  体幹筋は傍脊柱筋、腰筋群及び腹筋群などで構成され、脊柱や腰椎を動作させると共に脊柱の安定性に重要な役割を果たしている。
体幹筋の低下は姿勢劣化や腰痛の原因の１つとされるので体幹筋の維持を図ったり、向上強化させるトレーニングが要求される。【０００３】  体幹部の筋肉を鍛えるには、多種多様の筋トレーニングマシンが存在するが、抵抗負荷で分類すると、重量物（重り）、油圧、水圧、電気抵抗負荷などを用いる大型な重量体、複雑機構体のものが大半であり、ジム等に設置するためのものが多く、持ち運びができるものではなく、個人的に簡単に使用できるものでもない。【０００４】  また伝統的な方法で、自発的な腹筋、背筋運動やフリーウエイト及び腹・背筋用トレーニングマシンを用いる方法などがあるが長続きしない。【０００５】  叉、特許文献１においては、体幹部のウエストに装着が容易であり、体幹筋の測定ができるとともに、この体幹筋のトレーニングにも適する装置を紹介している。
このトレーニング装置は、図４（ａ）と（ｂ）に示すように、体幹部の腹部側とその背中側に連結して装着する装着帯１１、１２と、装着帯１１、１２の内側であって少なくとも腹部位置に有する膨縮体１３と、空気圧等により膨縮体１３の内圧を制御する制御回路２０とを有するものである。
この体幹筋の測定及びトレーニング装置は、装着帯１１、１２を体幹に巻き付け、膨縮体１３の内圧を制御するだけで体幹筋の測定が可能であり、また、内圧に拮抗した力を腹部に入れるようにトレーニングすることができるので体幹筋トレーニング装置としても有効であるとしているが、膨縮体１３への吸排気装置とその制御装置２０などの煩雑な付帯装置が必要であり、また膨縮体１３の拡縮作動がある為、使用するには多くの制約が掛かる。【０００６】  このように従来の体幹トレーニング装置や方法では、対象者や適用条件が限定されるなど高齢者、リハビリ人等を含めた一般人には必ずしも適していないのが現状である。
【先行技術文献】
【特許文献】
【０００７】
【特許文献１】特開２０１４−１４７６４９号公報
【考案の概要】
【考案が解決しようとする課題】
【０００８】  本考案は、体幹部に装着が容易であり、体幹部のウエストサイズの肥満に応じて自動的に体幹筋に刺激を与えてトレーニングを行い、適正なウエストサイズに戻し又は維持することを可能にして、例えばダンス教室、読書等における体幹姿勢矯正や意識のリハビリ治療、一般健康に美容等に適用することを可能にした体幹トレーニングベルトを提供する。
【課題を解決するための手段】
【０００９】  上記課題を満足させる本考案の主な技術構成は、次の（１）の通りである。
（１）、体幹部の腹部位置に当接させるトレーニング本体１００を有し、前記トレーニング本体の左右両側部に装着ベルト２００を連結し、前記トレーニング本体１００には前記装着ベルト２００による体幹部への所定の締め付け状態を感知するウエスト締め付け感知部３００を有し、電源４００の入り切りと発信端部５００の選択をする電源モードスイッチ６００と、前記ウエスト締め付け感知部３００からの感知信号を入力した際前記電源モードスイッチ６００で選択した発信端部５００に発信指令をする制御回路７００と、前記発信端部５００には音波発信部５０１、光波発信部５０２、振動波発振部５０３とを備えたことを特徴とする体幹トレーニングベルト。
【考案の効果】
【００１０】  本考案の体幹トレーニングベルトは、体幹部に装着が容易であり、体幹部のウエストサイズの肥満に応じて自動的に体幹筋に刺激を与えてトレーニングを行い、適正なウエストサイズに戻し又は維持することを可能にして、例えばダンス教室、読書等における体幹姿勢矯正や意識のリハビリ治療、一般健康に美容等に適用する等の優れた作用効果を呈する。【００１１】  即ち、本考案の体幹トレーニングベルトは、体幹部の腹部位置に目標とするウエストサイズになるように装着ベルトで締め付け装着するが、体幹部への装着ベルトの締め付け装着当初から実際のウエストサイズが前記目標ウエストサイズの近傍量であれば前記発信端部に筋トレーニング刺激信号の発信指令は出力されないが、締め付けたウエストサイズが目標ウエストサイズを大きく超過するとウエスト締め付け感知部がそれを感知して前記制御回路から筋トレーニング刺激信号の発信指令を予め選択された当該発信端部に入力して刺激信号を間欠的に又は連続的に腹部に発信して腹部の体幹筋に刺激を与えて拡縮させることを繰り返しウエストの主に脂肪を減少させ或いは筋トレをして目標ウエストサイズに到達させるものである。【００１２】  また体幹部への装着ベルトの締め付け装着当初から締め付けたウエストサイズが前記目標ウエストサイズを大きく超過しているとウエスト締め付け感知部がそれを感知して前記制御回路に筋トレーニング刺激信号の発信指令を予め選択された当該発信端部に入力して刺激信号を間欠的に又は連続的に腹部に発信して腹部の体幹筋に刺激を与えて拡縮させることを繰り返してウエストの主に脂肪を減少させ或いは筋トレをして目標ウエストサイズに到達させるものである。
【図面の簡単な説明】
【００１３】
【図１】本考案の実施例を示す平面説明図である。
【図２】本考案の実施例を示す側面説明図である。
【図３】本考案の実施例におけるトレーニング本体の内部構成を示す平面回路説明図である。
【図４】特許文献１にて紹介されている従来のトレーニング装置例を示す正面図（ａ）背面図（ｂ）である。
【考案を実施するための形態】
【００１４】  考案を実施するための形態を、図１〜図３に示す実施例にて詳細に紹介する。
【実施例１】
【００１５】  図１〜図３において、本例の体幹トレーニングベルトは、体幹部の腹部位置に当接させるトレーニング本体１００を有し、前記トレーニング本体の左右両側部に装着ベルト２００を連結し、前記トレーニング本体１００には前記装着ベルト２００による体幹部への所定の締め付け状態を感知するウエスト締め付け感知部３００を有し、電源４００の入り切りと発信端部５００の選択をする電源モードスイッチ６００と、前記ウエスト締め付け感知部３００からの感知信号Ｌｎを入力した際前記電源モードスイッチ６００で選択した発信端部５００に発信指令をする制御回路７００と、前記発信端部５００には音波発信部５０１、光波発信部５０２、振動波発振部５０３とを備えてある。【００１６】  前記装着ベルト２００は、前記トレーニング本体１００の左右両側部に夫々一端を連結アーム１２１、１２０で連結した装着ベルト２０１，２０２と、装着ベルト２０１，２０２の他端同士を締緩可能に連結した着脱自在の挿入ロック式のバックル２０３，２０４とからなる。
装着ベルト２０２をトレーニング本体１００に連結する連結アーム１２０は、一部をトレーニング本体１００内にスプリングＳにより所定範囲出入り可能にしてトレーニング本体１００と連結している。【００１７】  ウエスト締め付け感知部３００は、バネ付勢されているリミットスイッチ３０１を、前記連結アーム１２０の進退路内に設けてあり、装着ベルト２０２からの引っ張り力でトレーニング本体１００内から一部挿出する連結アーム１２０の動作限で張力検出用のリミットスイッチ３０１によりＯＮ動作して感知信号Ｌｎを制御回路７００に発信する。−【００１８】  また前記電源モードスイッチ６００は、腹部側に当接する表面の中央部に、ベルト装着の際に操作する操作端を突出設置してあり、その下方に発信端部５００の音波発信部５０１、光波発信部５０２、振動波発振部５０３を配置してある。
電源モードスイッチ６００の操作端を押し込み復元操作すると電源４００をＯＮ状態にすると同時にトレーニング本体１００の上面の中央部に設けてあるＬＥＤ赤色ランプ１１０を点灯させ且つ予め順番を決めてある例えば音波発信部５０１が選択される。電源モードスイッチ６００の操作端を更に押し込み復元させると光発信部５０２が選択され、更に押し込み復元させると振動発振部５０３が選択される。【００１９】  発信端部５００の音波発信部５０１からは体幹部の筋肉を刺激する所定の周波数の音波Ｐ１が発信され、光発信部５０２からは体幹部の筋肉を暖め刺激する赤外線、遠赤外線等の波光Ｐ２が投光され、振動発振部５０３からは体幹部の筋肉を刺激する所定の波長の振動波Ｐ３が発振される。【００２０】  而して、前記体幹トレーニングベルトは、装着ベルト２０１、２０２により体幹部の腹部位置に目標とするウエストサイズになるように締め付け装着する。
この装着当初からベルト装着時のウエストサイズが前記目標ウエストサイズであればウエスト締め付け感知部３００のリミットスイッチ３０１は作動していないので前記制御回路７００は電源モードスイッチ６００で選択された前記発信端部５００の何れからも、筋トレーニングの刺激信号は発信されないが、前記装着時のウエストサイズが目標ウエストサイズを大きく超過しウエストサイズ超過量に達していると連結アーム１２０は定量書引き出されてウエスト締め付け感知部３００のリミットスイッチ３０１は作動して前記制御回路７００から電源モードスイッチ６００で選択された発信端部５００の発信部５０１〜５０３の何れからかの刺激信号を間欠的に又は連続して腹部に発信させて、腹部の体幹筋に刺激を与えて拡縮させることを繰り返してウエストの主に脂肪を減少させ或いは筋トレをしてウエストサイズを目標量になるまで縮小させるのである。【００２１】  尚、前記装着ベルト２０１に、ウエストに装着した際にバックル２０４から引き出されるベルト表面にウエストサイズが目視できるように巻尺的なメモリを付設表示したり、前記装着ベルト２０１に引っ張りテンションを測定するテンション測定器を付設すると便利である。
また装着ベルト２０１はその一端部を連結アーム１２０に解除可能に且つ長さ調節可能に直接連結させてもよい等の変更は自在である。
【産業上の利用可能性】
【００２２】  本考案の体幹トレーニングベルトは、前述のようにダンス教室、読書等における体幹姿勢矯正や意識のリハビリ治療、一般健康に美容等に適用する優れた作用効果を呈する為、トレーニング機器を製造販売提供する健康機器業界に対しても貢献すること多大なものがある。
【符号の説明】
【００２３】１００：トレーニング本体
１１０：ＬＥＤ赤色ランプ
１２０、１２１：連結アーム
Ｓ：スプリング
２００：装着ベルト
２０１，２０２：装着ベルト
２０３，２０４：バックル
３００：ウエスト締め付け感知部（張力検知スイッチ）
３０１：リミットスイッチ
４００：電源
５００：発信端部
５０１：音波発信部
５０２：光波発信部
５０３：振動波発振部
６００：電源モードスイッチ
７００：制御回路
Ｌｎ：感知信号
Ｐ１：音波
Ｐ２：波光
Ｐ３：振動波
【図１】
0003218263.tif 000003
【図２】
0003218263.tif 000004
【図３】
0003218263.tif 000005
【図４】
0003218263.tif 000006